(57)【特許請求の範囲】
【請求項１】
装置本体の電源をオンオフするインターロックスイッチを備え、インターロックスイッチへの押圧により装置本体の電源がオンになる画像形成装置において、
前記インターロックスイッチに対向する位置に設けられた正面ドアと、該正面ドアの左右に設けられた左ドア及び右ドアと、正面ドアと前記インターロックスイッチとの間に、前記インターロックスイッチをオンオフする方向に移動可能に設けられた押圧部材と、左ドアの開閉方向にスライド可能な左移動部材と、右ドアの開閉方向にスライド可能な右移動部材と、前記左移動部材の一端部を左ドアに向けて付勢する左付勢部材と、前記右移動部材の一端部を右ドアに向けて付勢する右付勢部材と、前記左移動部材の他端部に設けられ且つ前記押圧部材の押圧方向に回動可能な左回動レバーと、前記右移動部材の他端部に設けられ且つ前記押圧部材の押圧方向に回動可能な右回動レバーとを備え、
前記左及び右回動レバーは、左及び右ドアが閉じられたときに前記各移動部材が前記各付勢部材に抗して移動することにより、前記正面ドアと前記押圧部材との間において互いに重なり合うように配置され、正面ドアが閉じられたときに該正面ドアにより、重なり合った前記左及び右回動レバーを介して前記押圧部材を前記インターロックスイッチをオンする向きに移動させることを特徴とする画像形成装置。
【請求項２】
装置本体の電源をオンオフするインターロックスイッチを備え、インターロックスイッチへの押圧により装置本体の電源がオンになる画像形成装置において、
前記インターロックスイッチに対向する位置に設けられた正面ドアと、該正面ドアの左右に設けられた左ドア及び右ドアと、正面ドアの内壁側に設けられた突起と、正面ドアと前記インターロックスイッチとの間に、前記インターロックスイッチをオンオフする方向に移動可能に設けられた押圧部材と、左ドアの開閉方向にスライド可能な左移動部材と、右ドアの開閉方向にスライド可能な右移動部材と、左移動部材の一端部を左ドアに向けて付勢する左付勢部材と、右移動部材の一端部を右ドアに向けて付勢する右付勢部材と、前記左移動部材の一端部と他端部との間に形成された左切取部と、前記右移動部材の一端部と他端部との間に形成された右切取部と、左ドアを閉めたときに前記左移動部材と左ドアとを係止する左係止部と、右ドアを閉めたときに前記右移動部材と右ドアとを係止する右係止部とを備え、前記左及び右切取部は、左及び右ドアが閉じられたときに前記各移動部材が前記各付勢部材に抗して移動することにより、前記突起と前記押圧部材との間において互いに重なり合うように配置され、正面ドアが閉じられたときに前記突起により、重なり合った前記左及び右切取部を通して前記押圧部材を前記インターロックスイッチをオンする向きに移動させることを特徴とする画像形成装置。
【請求項３】
装置本体の電源をオンオフするインターロックスイッチを備え、インターロックスイッチへの押圧により装置本体の電源がオンになる画像形成装置において、
前記インターロックスイッチに対向する位置に設けられた正面ドアと、該正面ドアの左右に設けられた左ドア及び右ドアと、正面ドアの内壁側に設けられた第１ないし第３の突起と、正面ドアと前記インターロックスイッチとの間に、前記インターロックスイッチをオンオフする方向に移動可能に設けられたインターロックスイッチの押圧部材と、左ドアの開閉方向にスライド可能な左移動部材と、右ドアの開閉方向にスライド可能な右移動部材と、前記左移動部材の一端部を左ドアに向けて付勢する左付勢部材と、前記右移動部材の一端部を右ドアに向けて付勢する右付勢部材と、前記左移動部材の一端部と他端部との間に形成された左切取部と、前記右移動部材の一端部と他端部との間に形成された右切取部と、左ドアを閉めたときに前記左移動部材と左ドアとを係止する左係止部と、右ドアを閉めたときに右移動部材と右ドアとを係止する右係止部とを備え、第１の突起は、前記押圧部材に、第２及び第３の突起は、左ドア及び右ドアが閉じられたときの前記各切取部にそれぞれ対向しており、左ドア及び右ドアが閉じ状態で正面ドアが閉じたときに、第２及び第３の突起が前記左切取及び右切取部をそれぞれ通過することにより、第１の突起により、前記押圧部材を前記インターロックスイッチをオンする向きに移動させることを特徴とする画像形成装置。
【発明の詳細な説明】
【０００１】
【発明の属する技術分野】
本発明は、レーザプリンタ、普通紙複写機等の画像形成装置に関する。
【０００２】
【従来の技術】
一般に、レーザプリンタ、普通紙複写機等の画像形成装置においては、ジャム処理、トナー補充、消耗部品の交換等を行うときには、装置本体を覆うドアを開けるようになっている。このドアは、インターロックスイッチと連動しており、ドアが開けられたときには、インターロックスイッチにより装置本体内の電源が切れるようになっている。
【０００３】
このインターロックスイッチの設置数を少なくするために、特開平５−１６５２６７号公報では、軸を中心に回動可能なレバーを設け、２つのドアの開放に連動してレバーを回動させ、この回動によりレバーに設けた突起とインターロックスイッチとを接離させる技術が開示されている。これによって、２つのドアに対して１つのインターロックスイッチを設ければ良くなる。
【０００４】
【発明が解決しようとする課題】
しかし、上述した技術では、２つのドアの開放に連動してレバーを回動させているので、特に、レバーの回動方向と異なる方向に開閉する３つ目のドアに対して対応し難くなる。従って、この場合には、インターロックスイッチを新たに設ける必要があり、インターロックスイッチ設置数の低減が充分でないという課題がある。
【０００５】
そこで、本発明は、インターロックスイッチの設置数を充分に低減できる画像形成装置を提供することを目的とする。
【０００６】
【課題を解決するための手段】
請求項１に記載の発明は、装置本体の電源をオンオフするインターロックスイッチを備え、インターロックスイッチへの押圧により装置本体の電源がオンになる画像形成装置において、前記インターロックスイッチに対向する位置に設けられた正面ドアと、該正面ドアの左右に設けられた左ドア及び右ドアと、正面ドアと前記インターロックスイッチとの間に、前記インターロックスイッチをオンオフする方向に移動可能に設けられた押圧部材と、左ドアの開閉方向にスライド可能な左移動部材と、右ドアの開閉方向にスライド可能な右移動部材と、前記左移動部材の一端部を左ドアに向けて付勢する左付勢部材と、前記右移動部材の一端部を右ドアに向けて付勢する右付勢部材と、前記左移動部材の他端部に設けられ且つ前記押圧部材の押圧方向に回動可能な左回動レバーと、前記右移動部材の他端部に設けられ且つ前記押圧部材の押圧方向に回動可能な右回動レバーとを備え、前記左及び右回動レバーは、左及び右ドアが閉じられたときに前記各移動部材が前記各付勢部材に抗して移動することにより、前記正面ドアと前記押圧部材との間において互いに重なり合うように配置され、正面ドアが閉じられたときに該正面ドアにより、重なり合った前記左及び右回動レバーを介して前記押圧部材を前記インターロックスイッチをオンする向きに移動させることを特徴とする。
【０００７】
この請求項１に記載の発明では、左ドアを閉めると、左ドアに押された左移動部材が、左付勢部材の付勢力に抗して右ドアに向けて移動し、左回動レバーが、正面ドアと押圧部材との間に位置する。
【０００８】
左ドアを閉めた後、右ドアを閉めると、右ドアに押された右移動部材が、右付勢部材の付勢力に抗して左ドアに向けて移動し、右回動レバーが、正面ドアと押圧部材との間に位置し、左及び右回動レバーが重なる。
【０００９】
そして、正面ドアを閉めると、左及び右回動レバーが、正面ドアに押されて押圧部材の押圧方向に回動することにより、押圧部材がインターロックスイッチを押圧し、装置本体の電源がオンになる。尚、右ドアを閉めた後、左ドアを閉めてから正面ドアを閉めた場合でも、同様の作用を奏する。
【００１０】
また、全てのドアが閉じている状態において、左及び右回動レバーを介して押圧部材を押圧している正面ドアを開けると、インターロックスイッチに対する押圧が解除され、装置本体の電源がオフとなる。
【００１１】
一方、全てのドアが閉じている状態において、左ドアを開けると、左移動部材が左付勢部材の付勢力により、左ドアに向けて移動することにより、正面ドアと押圧部材との間に隙間が形成されるので、インターロックスイッチに対する押圧が解除され、装置本体の電源がオフとなる。これは、全てのドアが閉じている状態において、右ドアを開けた場合でも同様である。
【００１２】
左及び右ドアが閉じているときに、左及び右回動レバーを、正面ドアと押圧部材との間に重ねて配置していることにより、左及び右回動レバーが、押圧部材を押圧する部材となったり、押圧を解除する部材となったりするので、正面ドア、左ドア及び右ドアといった開閉方向の異なる３つのドアに対して、単一のインターロックスイッチで対応することができる。従って、インターロックスイッチの設置数を充分に低減でき、部品点数及びコストの低減が図れる。
【００１４】
請求項２に記載の発明は、装置本体の電源をオンオフするインターロックスイッチを備え、インターロックスイッチへの押圧により装置本体の電源がオンになる画像形成装置において、前記インターロックスイッチに対向する位置に設けられた正面ドアと、該正面ドアの左右に設けられた左ドア及び右ドアと、正面ドアの内壁側に設けられた突起と、正面ドアと前記インターロックスイッチとの間に、前記インターロックスイッチをオンオフする方向に移動可能に設けられた押圧部材と、左ドアの開閉方向にスライド可能な左移動部材と、右ドアの開閉方向にスライド可能な右移動部材と、左移動部材の一端部を左ドアに向けて付勢する左付勢部材と、右移動部材の一端部を右ドアに向けて付勢する右付勢部材と、前記左移動部材の一端部と他端部との間に形成された左切取部と、前記右移動部材の一端部と他端部との間に形成された右切取部と、左ドアを閉めたときに前記左移動部材と左ドアとを係止する左係止部と、右ドアを閉めたときに前記右移動部材と右ドアとを係止する右係止部とを備え、前記左及び右切取部は、左及び右ドアが閉じられたときに前記各移動部材が前記各付勢部材に抗して移動することにより、前記突起と前記押圧部材との間において互いに重なり合うように配置され、正面ドアが閉じられたときに前記突起により、重なり合った前記左及び右切取部を通して前記押圧部材を前記インターロックスイッチをオンする向きに移動させることを特徴とする。
【００１５】
この請求項２に記載の発明では、左ドアを閉めると、左ドアに押された左移動部材が、左付勢部材の付勢力に抗して右ドアに向けて移動し、左切取部が、正面ドアと押圧部材との間に位置するとともに、左係止部により左ドアと左移動部材とが係止する。
【００１６】
左ドアを閉めた後、右ドアを閉めると、右ドアに押された右移動部材が、右付勢部材の付勢力に抗して左ドアに向けて移動し、右係止部により右ドアと右移動部材とが係止するとともに、右切取部が、正面ドアと押圧部材との間に位置し、左及び右ドアが重なる。
【００１７】
そして、正面ドアを閉めると、正面ドアの突起が、左及び右切取部を通って押圧部材を押圧することにより、押圧部材がインターロックスイッチを押圧し、装置本体の電源がオンになる。尚、右ドアを閉めた後、左ドアを閉めてから正面ドアを閉めた場合でも、同様の作用を奏する。
【００１８】
また、全てのドアが閉じている状態で、正面ドアを開けた後、左ドアを開けると、左移動部材が左付勢部材の付勢力により左ドアに向けて移動する。これによって、左切取部が左ドアに向けて移動するので、正面ドアの突起と押圧部材との間には、左移動部材の他端部が位置し、この他端部が正面ドアと押圧部材との間を遮蔽する。これは、全てのドアが閉じている状態で、正面ドアを開けた後、右ドアを開けた場合でも同様である。
【００１９】
従って、左及び右ドアのいずれかが開いている状態で正面ドアを閉めようとしても、正面ドアの突起が、左及び右移動部材のいずれかの他端部に当接することにより、正面ドアの突起が押圧部材を押圧できないので、左及び右ドアが開いている状態で、正面ドアが閉められて装置本体の電源がオンになるのを防止できる。
【００２０】
一方、全てのドアが閉じているときに、左ドアを開けようとしても、正面ドアの突起が左切取部を通っているとともに、左ドアと左移動部材とが左係止部によって係止しているので、左ドアが開かない。これは、全てのドアが閉じているときに、右ドアを開けようとしたときでも同様である。
【００２１】
従って、正面ドアを開けて装置本体内を露出し、左及び右係止部の係止状態を解除しない限り、左及び右ドアが開かないので、正面ドアが閉じている状態で、左及び右ドアが開けられて装置本体の電源がオンになるのを防止できる。これに対し、左及び右係止部を設けていない場合は、左及び右ドアが開けられても、正面ドアの突起が押圧部材を押圧しているので、装置本体の電源がオンのままになってしまう。
【００２２】
左及び右ドアが閉じているときに、左及び右切取部を正面ドアの突起と押圧部材との間に重ねて配置していることにより、左及び右移動部材が、左ドア及び右ドアの開閉に応じて、正面ドアの突起と押圧部材との間を開口したり、遮蔽したりするので、左ドア及び右ドア開閉に応じて、押圧部材に対する正面ドアの突起への押圧を可能にしたり、不可能にしたりできる。従って、正面ドア、左及び右ドアといった開閉方向の異なる３つのドアに対して、単一のインターロックスイッチで対応することができるので、インターロックスイッチの設置数を充分に低減でき、部品点数及びコストの低減が図れる。
【００２４】
請求項３に記載の発明は、装置本体の電源をオンオフするインターロックスイッチを備え、インターロックスイッチへの押圧により装置本体の電源がオンになる画像形成装置において、前記インターロックスイッチに対向する位置に設けられた正面ドアと、該正面ドアの左右に設けられた左ドア及び右ドアと、正面ドアの内壁側に設けられた第１ないし第３の突起と、正面ドアと前記インターロックスイッチとの間に、前記インターロックスイッチをオンオフする方向に移動可能に設けられたインターロックスイッチの押圧部材と、左ドアの開閉方向にスライド可能な左移動部材と、右ドアの開閉方向にスライド可能な右移動部材と、前記左移動部材の一端部を左ドアに向けて付勢する左付勢部材と、前記右移動部材の一端部を右ドアに向けて付勢する右付勢部材と、前記左移動部材の一端部と他端部との間に形成された左切取部と、前記右移動部材の一端部と他端部との間に形成された右切取部と、左ドアを閉めたときに前記左移動部材と左ドアとを係止する左係止部と、右ドアを閉めたときに右移動部材と右ドアとを係止する右係止部とを備え、第１の突起は、前記押圧部材に、第２及び第３の突起は、左ドア及び右ドアが閉じられたときの前記各切取部にそれぞれ対向しており、左ドア及び右ドアが閉じ状態で正面ドアが閉じたときに、第２及び第３の突起が前記左切取及び右切取部をそれぞれ通過することにより、第１の突起により、前記押圧部材を前記インターロックスイッチをオンする向きに移動させることを特徴とする。
【００２５】
この請求項３に記載の発明では、左ドアを閉めると、左ドアに押された左移動部材が、左付勢部材の付勢力に抗して右ドアに向けて移動し、左切取部が正面ドアの他の突起に対応する位置に位置するとともに、左係止部により、左ドアと左移動部材とがそれぞれ係止する。
【００２６】
左ドアを閉めたとき、右ドアを閉めると、右ドアに押された右移動部材が、右付勢部材の付勢力に抗して左ドアに向けて移動し、右切取部が正面ドアの他の突起に対応する位置に位置するとともに、右係止部により、右ドアと右移動部材とが係止する。
【００２７】
そして、正面ドアを閉めると、正面ドアの他の突起が左及び右切取部を通って係止するとともに、正面ドアの一の突起が押圧部材を押圧することにより、押圧部材がインターロックスイッチを押圧し、装置本体の電源がオンになる。尚、右ドアを閉めた後、左ドアを閉めてから正面ドアを閉めた場合でも、同様の作用を奏する。
【００２８】
また、全てのドアが閉じている状態で、正面ドアを開けた後、左ドアを開けると、左移動部材が、付勢部材の付勢力により左ドアに向けて移動する。これによって、左切取部が、左ドアに向けて移動するので、左移動部材の他端部が、正面ドアの他の突起に対応する位置に位置する。これは、全てのドアが閉じている状態で、正面ドアを開けた後、右ドアを開けた場合でも同様である。
【００２９】
従って、左及び右ドアが開いている状態で正面ドアを閉めようとしても、正面ドアの他の突起が、左及び右移動部材の他端部に当接することにより、正面ドアが閉められず、正面ドアの突起が押圧部材を押圧できないので、左及び右ドアが開いている状態で、正面ドアが閉められて装置本体の電源がオンになるのを防止できる。
【００３０】
一方、全てのドアが閉じているときに、左ドアを開けようとしても、正面ドアの他の突起が、左切取部に係止しているとともに、左ドアと左移動部材とが、左係止部によって係止しているので、左ドアが開かない。これは、全てのドアが閉じているときに、右ドアを開けようとしたときでも同様である。
【００３１】
従って、正面ドアを開けて装置本体内を露出し、左及び右係止部の係止状態を解除しない限り、左及び右ドアが開かないので、正面ドアが閉じている状態で、左及び右ドアが開けられて装置本体の電源がオンになるのを防止できる。これに対し、左及び右係止部を設けていない場合は、左及び右ドアが開けられても、正面ドアの突起が押圧部材を押圧しているので、装置本体の電源がオンのままになってしまう。
【００３２】
左及び右ドアが閉じているときに、左及び右切取部を、正面ドアの他の突起に係止する位置に配置していることにより、左及び右移動部材が、左ドア及び右ドアの開閉に応じて、正面ドアの他の突起を通したり、遮蔽したりするので、左ドア及び右ドア開閉に応じて、押圧部材に対する正面ドアの一の突起の押圧を可能にしたり、不可能にしたりできる。従って、正面ドア、左及び右ドアといった開閉方向の異なる３つのドアに対して、単一のインターロックスイッチで対応することができので、インターロックスイッチの設置数を充分に低減でき、部品点数及びコストの低減が図れる。
【００３４】
【発明の実施の形態】
以下、添付した図面を参照しながら本発明の実施の形態を詳細に説明する。先ず、図１に基づいて第１実施の形態を説明する。図１は、本実施の形態にかかる画像形成装置を概略的に示す斜視図である。例えば、レーザプリンタ、普通紙複写機等の画像形成装置１は、図示しない給紙装置からの用紙に、原稿画像に対応した画像を形成するものである。尚、画像形成装置１には、像担持体である感光体、感光体を帯電する帯電装置、帯電した感光体に静電潜像を形成する露光装置、感光体の静電潜像を現像画像として現像する現像装置、感光体の現像画像を用紙に転写する転写装置、用紙に転写された現像画像を定着する定着装置等が配置されているが、本実施の形態では、これらの図示及び説明は省略する。
【００３５】
画像形成装置１の装置本体３内には、装置本体３の電源をオンオフするインターロックスイッチ５が配置されている。インターロックスイッチ５は、電源（図示せず）の近くに配置された基板７に形成されており、ばねにより矢印Ａ方向に付勢されたレバー９を有している。インターロックスイッチ５は、ばねの付勢力に抗してレバー９を押圧されることにより、装置本体３の電源をオンにするようになっている。
【００３６】
装置本体３は、装置本体３の正面部を覆う正面ドア１１と、装置本体３の左側部を覆う左ドア１３と、装置本体３の右側部を覆う右ドア１５とを有している。正面ドア１１は、インターロックスイッチ５に対向する位置に設けられており、装置本体３に対して矢印Ｂ方向に開閉可能である。また、正面ドア１１の内壁側において上部の略中央の位置には、装置本体３内に向けて突出する中央突起１１ａが突設されている。
【００３７】
左ドア１３は、装置本体３に対して矢印Ｃ方向に開閉可能であり、左ドア１３の内壁側において上部の図中手前側には、装置本体３内に向けて突出する突起１３ａが突設されている。また、右ドア１５は、装置本体３に対して矢印Ｄ方向に開閉可能であり、右ドア１５の内壁側において上部の図中手前側には、装置本体３内に向けて突出する突起１５ａが突設されている。
【００３８】
一方、装置本体３の内部には、インターロックスイッチ５のレバー９を押圧する押圧部材１７と、左ドア１３の開閉に連動する左移動部材１９と、右ドア１５の開閉に連動する右移動部材２１とが配置されている。
【００３９】
押圧部材１７は、その断面が略コ字状をなしており、インターロックスイッチ５のレバー９と、正面ドア１１の中央突起１１ａとの間を移動可能（矢印Ｅ参照）に設けられている。押圧部材１７は、その一端部１７ａが、後述する左回動レバー２５に押圧されることにより、インターロックスイッチ５に向けて移動し、他端部１７ｂがインターロックスイッチ５のレバー９を押圧するようになっている。
【００４０】
左移動部材１９は、その断面が略Ｌ字状をなしており、左ドア１３の開閉方向にスライド可能（矢印Ｆ参照）に設けられている。左移動部材１９の一端部１９ａは、左スプリング（左付勢部材）２３により、左ドア１３に向けて付勢されており、左移動部材１９の一端部１９ａと、左ドア１３の突起１３ａとは、当接可能になっている。左ドア１３に突起１３ａを設けることにより、左ドア１３を閉めているときに、左移動部材１９を容易に押すことができる。
【００４１】
左移動部材１９の他端部１９ｂには、軸２５ａを中心に押圧部材１７に向けて回動可能（矢印Ｈ参照）な左回動レバー２５が設けられている。本実施の形態では、左回動レバー２５の先端部には、押圧部材に向けて突出する凸部２５ｂが形成されている。
【００４２】
右移動部材２１は、左移動部材１９と同様に、その断面が略Ｌ字状をなしており、右ドア１５の開閉方向にスライド可能（矢印Ｇ参照）に設けられている。右移動部材２１は、右スプリング（右付勢部材）２７により、右ドア１５に向けて付勢されており、右移動部材２１の一端部２１ａと、右ドア１５の突起１５ａとは、当接可能になっている。右ドア１５に突起１５ａを設けることにより、右ドア１５を閉めているときに、右移動部材２１を容易に押すことができる。
【００４３】
右移動部材２１の他端部２１ｂには、軸２９ａを中心に押圧部材１７に向けて回動可能（矢印Ｊ参照）な右回動レバー２９が設けられている。本実施の形態では、右回動レバー２９は、左回動レバー２５よりも図中手前側に位置しており、右回動レバー２９の先端部には、左回動レバー２５に向けて突出する凸部２９ｂが形成されている。
【００４４】
また、本実施の形態では、左ドア１３及び右ドア１５が閉められたとき、左回動レバー２５の凸部２５ｂと、右回動レバー２９の凸部２９ｂとが、押圧部材１７の一端部１７ａと正面ドア１１の中央突起１１ａとの間で、重なるようになっている。尚、本実施の形態では、左回動レバー２５の図中手前側に右回動レバー２９が位置しているが、右回動レバー２５の図中手前側に左回動レバー２５が位置するようにしても良い。
【００４５】
次に、上述した構成に基づき、本実施の形態の作用を説明する。左ドア１３を閉めると、左ドア１３の突起１３ａに押された左移動部材１９が左スプリング２３の付勢力に抗して右ドア１５に向けて移動し、左回動レバー２５の凸部２５ｂが、押圧部材１７の一端部１７ａと正面ドア１１の中央突起１１ａとの間に位置する。
【００４６】
左ドア１３を閉めた後、右ドア１５を閉めると、右ドア１５の突起１５ａに押された右移動部材２１が右スプリング２７の付勢力に抗して左ドア１３に向けて移動し、右回動レバー２９の凸部２９ｂが、左回動レバー２５の凸部２５ｂと正面ドア１１の中央突起１１ａとの間に位置し、左回動レバー２５の凸部２５ｂと、右回動レバー２９の凸部２９ｂとが重なる。
【００４７】
そして、正面ドア１１を閉めると、右回動レバー２９が正面ドア１１の中央突起１１ａに押されて矢印Ｊ方向に回動し、左回動レバー２５は、右回動レバー２９の凸部２９ｂに押されて矢印Ｈ方向に回動する。正面ドア１１に中央突起１１ａを設けることにより、正面ドア１１を閉めているときに、左及び右回動レバー２５、２９を押し易くなる。
【００４８】
左回動レバー２９の回動により、左回動レバー２９の凸部２９ｂが、押圧部材１７の一端部１７ａを押圧し、押圧部材１７がインターロックスイッチ５に向けて移動する。これによって、押圧部材１７の他端部１７ｂが、インターロックスイッチ５のレバー９を押圧し、装置本体３の電源がオンになる。尚、右ドア１５を閉めた後、左ドア１３を閉めてから正面ドア１１を閉めた場合でも、同様の作用を奏する。
【００４９】
また、全てのドア１１、１３、１５が閉じている状態において、正面ドア１１を開けると、左及び右回動レバー２５、２９に対する正面ドア１１の中央突起１１ａの押圧が解除されるので、インターロックスイッチ５のレバー９が、ばねの付勢力により矢印Ａ方向に復帰し、装置本体３の電源がオフとなる。
【００５０】
一方、全てのドア１１、１３、１５が閉じている状態において、左ドア１３を開けると、左移動部材１９が左スプリング２３の付勢力により、左ドア１３に向けて移動することにより、正面ドア１１の中央突起１１ａと押圧部材１７との間に隙間が形成されるので、インターロックスイッチ５のレバー９に対する押圧が解除され、装置本体３の電源がオフとなる。これは、全てのドア１１、１３、１５が閉じている状態で、右ドア１５を開けた場合でも同様である。
【００５１】
左及び右ドア１３、１５が閉じているときに、左及び右回動レバー２５、２９が、正面ドア１１の中央突起１１ａと押圧部材１７の一端部１７ａとの間に重ねて配置していることにより、左及び右回動レバー２５、２９が、押圧部材１７を押圧する部材となったり、押圧を解除する部材となったりするので、正面ドア１１、左ドア１３及び右ドア１５といった開閉方向の異なる３つのドアに対して、単一のインターロックスイッチ５で対応することができる。従って、インターロックスイッチの設置数を充分に低減でき、主にハーネス等のインターロックスイッチ５に付属する部品点数の削減が図れ、コストの低減が図れる。
【００５２】
次に、他の実施の形態を説明するが、その説明にあたり、上述の部分と同様な部分には、同一の符号を付することにより、その説明を省略する。
【００５３】
図２は、第２実施の形態にかかる画像形成装置を概略的に示す斜視図である。図２に示すように、左ドア１３には、第１実施の形態の突起１３ａの代りに、係止突起３３が設けられており、左移動部材１９の一端部１９ａに形成された係止孔３５に係止するようになっている。係止突起３３は、矢印Ｋ方向にスライド可能になっており、図示しないばねにより、図中上方に向けて付勢されている。
【００５４】
また、係止突起３３の先端部には、テーパ３３ａが形成され、係止突起３３の基部と先端部との間には、凹み部３３ｂが形成されている。左ドア１３を閉めているとき、係止突起３３のテーパ３３ａが、左移動部材１９の係止孔３５の縁部を押圧するようになっている。従って、左ドア１３が閉められると、係止突起３３は、テーパ３３ａに案内されることにより、ばねの付勢力に抗して図中下方に移動し、係止突起３３の先端部が係止孔３３を通ると、ばねの付勢力により、係止突起３３が図中上方に移動して係止突起３３の凹み部３３ｂが係止孔３５の縁部に係止するようになっている。即ち、本実施の形態では、係止突起３３と係止孔３５とで係止部３７を構成している。
【００５５】
左移動部材１９の一端部１９ａと他端部１９ｂとの間には、左挿通孔（左切取部）３９が形成されており、左ドア１３が閉められたとき、左挿通孔３９は、押圧部材１７の一端部１７ａと正面ドア１１の中央突起１１ａとの間に位置するようになっている。
【００５６】
一方、右ドア１５にも、矢印Ｌ方向にスライド可能な右係止突起４１が設けられ、右移動部材２１の一端部２１ａに形成された右係止孔４３とともに、右係止部４５を形成している。尚、右係止突起４１にも、テーパ４１ａ及び凹み部４１ｂが形成されており、右係止部４５は、左係止部３７と略同様の構成であるので、その詳細な説明は省略する。また、右移動部材２１の一端部２１ａと他端部２１ｂとの間には、右挿通孔（右切取部）４７が形成されており、右ドア１５が閉められたとき、右挿通孔４７は、左挿通孔３９と正面ドア１１の中央突起１１ａとの間に位置するようになっている。
【００５７】
左及び右ドア１３、１５を閉めると、左及び右挿通孔３９、４７が、正面ドア１１の中央突起１１ａと押圧部材１７の一端部１７ａとの間に重なるとともに、左係止部３７により左ドア１３と左移動部材１９とが係止し、右係止部４５により右ドア１５と右移動部材２１とが係止する。
【００５８】
そして、正面ドア１１を閉めると、正面ドア１１の中央突起１１ａが、左及び右挿通孔３９、４７を通って押圧部材１９の一端部１７ａを押圧することにより、押圧部材１７の他端部１７ｂがインターロックスイッチ５のレバー９を押圧し、装置本体３の電源がオンになる。
【００５９】
また、全てのドア１１、１３、１５が閉じている状態で、正面ドア１１を開けた後、左ドア１３を開けると、左移動部材１９が左スプリング２３の付勢力により左ドア１３に向けて移動することにより、左挿通孔３９が左ドア１３に向けて移動する。これによって、正面ドア１１の中央突起１１ａと押圧部材１７との間には、左移動部材１９の他端部１９ｂが位置し、この他端部１９ｂが正面ドア１１の中央突起１１ａと押圧部材１７との間を遮蔽する。これは、全てのドア１１、１３、１５が閉じている状態で、正面ドア１１を開けた後に、右ドア１５を開けた場合でも同様である。
【００６０】
従って、左及び右ドア１３、１５のいずれかが開いている状態で正面ドア１１を閉めようとしても、正面ドア１１の中央突起１１ａが、左及び右移動部材１９、２１の他端部１９ｂ、２１ｂのいずれかに当接することにより、正面ドア１１の中央突起１１ａが押圧部材１７の一端部１７ａを押圧できない。これにより、左及び右ドア１３、１５が開いている状態で、正面ドア１１が閉められて装置本体３の電源がオンになるのを防止できる。
【００６１】
一方、全てのドア１１、１３、１５が閉じているときに、左ドア１３を開けようとしても、正面ドア１１の中央突起１１ａが左挿通孔３９を通っているとともに、左ドア１３と左移動部材１９とが左係止部３７によって係止しているので、左ドア１３が開かない。これは、全てのドア１１、１３、１５が閉じているときに、右ドア１５を開けようとしたときでも同様である。
【００６２】
従って、正面ドア１１を開けて装置本体３内を露出し、左及び右係止部２７、４５の係止状態を解除しない限り、左及び右ドア１３１５が開かないので、正面ドア１１が閉じている状態で、左ドア及び右ドア１３、１５が開けられて装置本体３の電源がオンになるのを防止できる。これに対し、左及び右係止部３７、４５を設けていない場合は、左及び右ドア１３、１５が開けられても、正面ドア１１の中央突起１１ａが押圧部材１７を押圧しているので、装置本体３の電源がオンのままになってしまう。
【００６３】
左及び右ドア１３、１５が閉じている状態で、左及び右挿通孔３９、４７を、正面ドア１１の中央突起１１ａと押圧部材１７との間に重ねて配置していることにより、左及び右移動部材１９、２１が、左ドア及び右ドア１３、１５の開閉に応じて、正面ドア１１の中央突起１１ａと押圧部材１７との間を開口したり、遮蔽したりする。従って、左ドア及び右ドア１３、１５の開閉に応じて、押圧部材１７に対する正面ドア１１の中央突起１１ａの押圧を可能にしたり、不可能にしたりできるので、正面ドア１１、左ドア及び右ドア１３、１５といった開閉方向の異なる３つのドアに対して、単一のインターロックスイッチ５で対応することができ、第１実施の形態と同様な効果を奏する。
【００６４】
図３は、第３実施の形態にかかる画像形成装置を概略的に示す斜視図である。図３に示すように、押圧部材１７の一端部１７ａが、左及び右移動部材１９、２１の間に位置している。また、正面ドア１１には、中央突起（一の突起）１１ａの他に、左移動部材１９の左挿通孔３９に挿通する左突起（他の突起）１１ｂと、右移動部材２１の右挿通孔４７に挿通する右突起（他の突起）１１ｃとが設けられており、正面ドア１１の突起がドア数と同数設けられていることが第２実施の形態と異なる。
【００６５】
左及び右ドア１３、１５を閉めると、左挿通孔３９が正面ドア１１の左突起１１ｂに対応する位置に位置し、右挿通孔３９が正面ドア１１の右突起１１ｃに対応する位置に位置するとともに、左及び右係止部３７、４５により、左ドア１３と左移動部材１９とが係止し、右ドア１５と右移動部材２１とが係止する。
【００６６】
そして、正面ドア１１を閉めると、正面ドア１１の左突起１１ｂが、左挿通孔３９を挿通し、右突起１１ｃが右挿通孔４７を挿通するとともに、正面ドア１１の中央突起１１ａが押圧部材１７を押圧することにより、押圧部材１７がインターロックスイッチ５のレバー９を押圧し、装置本体３の電源がオンになる。
【００６７】
また、全てのドア１１、１３、１５が閉じている状態で、正面ドア１１を開けた後、左ドア１３を開けると、左移動部材１９の左挿通孔３９が左ドア１３に向けて移動するので、左移動部材１９の他端部１９ｂが、正面ドア１１の左突起１１ｂに対応する位置に位置する。これは、全てのドア１１、１３、１５が閉じている状態で、正面ドア１１を開けた後、右ドア１５を開けた場合でも同様である。
【００６８】
従って、左及び右ドア１３、１５が開いている状態で正面ドア１１を閉めようとしても、正面ドア１１の左突起１１ｂが左移動部材１９の他端部１９ｂに当接し、正面ドア１１の右突起１１ｃが右移動部材２１の他端部２１ｂに当接することにより、正面ドア１１が閉められない。これによって正面ドア１１の中央突起１１ａが押圧部材１７を押圧できないので、左及び右ドア１３、１５が開いている状態で、正面ドア１１が閉められて装置本体３の電源がオンになるのを防止できる。
【００６９】
一方、全てのドア１１、１３、１５が閉じているときに、左ドア１３を開けようとしても、正面ドア１１の左突起１１ｂが左挿通孔３９に挿通（係止）しているとともに、左ドア１３と左移動部材１９とが左係止部３７によって係止しているので、左ドア１３が開かない。これは、全てのドア１１、１３、１５が閉じているとき、右ドア１５を開けようとしたときでも、同様である。
【００７０】
従って、正面ドア１１を開けて装置本体３内を露出し、左及び右係止部３７、４５の係止状態を解除しない限り、左及び右ドア１３、１５が開かないので、正面ドア１１が閉じている状態で、左及び右ドア１３、１５が開けられて装置本体３の電源がオンになるのを防止できる。
【００７１】
左及び右ドア１３、１５が閉じているときに、左及び右挿通孔３９、４１を、正面ドア１１の左及び右突起１１ｂ、１１ｃに挿通する位置に配置していることにより、左及び右移動部材１９、２１が、左及び右ドア１３、１５の開閉に応じて、正面ドア１１の左及び右突起１１ｂ、１１ｃを通したり、遮蔽したりする。
【００７２】
従って、左及び右ドア１３、１５の開閉に応じて、押圧部材１７に対する正面ドア１１の中央突起１１ａへの押圧を可能にしたり、不可能にしたりできるので、正面ドア１１、左ドア及び右ドア１３、１５といった開閉方向の異なる３つのドアに対して、単一のインターロックスイッチ５で対応することができ、第１実施の形態と同様な効果を奏する。
【００７３】
本発明は、上述した実施の形態に限定されず、その要旨を逸脱しない範囲内において、種々の変形が可能である。例えば、第１実施の形態において、正面ドア１１に中央突起１１ａ、左ドア１３に突起１３ａ、右ドア１５に突起１５ａを設けたが、これらの代りに、左移動部材１９の一端部１９ａから左ドア１３に向けて突出する突起、右回動レバー２９から正面ドア１１に向けて突出する突起、右移動部材の一端部２１ａから右ドア１５に向けて突出する突起を設けても良い。また、中央突起１１ａ、１３ａ、１５ａを設けず、それぞれのドア１１、１３、１５が、回動レバーや移動部材を直接押圧するようにしても良い。
【００７４】
第１実施の形態において、左及び右回動レバー２５、２９のそれぞれの先端部には、押圧部材１７を押圧し易くするために、凸部２５ｂ、２９ｂを設けたが、凸部２５ｂ、２９ｂを設けなくてもよく、この場合、押圧部材１７と正面ドア１１との距離を短くしたり、左及び右回動レバー２５、２９の押圧部材５の移動方向の幅を厚くしたりする等すれば良い。
【００７５】
第２及び第３実施の形態において、切取部として挿通孔を形成したが、これに限定されず、例えば、挿通孔の代りに、切り欠きを形成しても良い。また、左移動部材１９の一端部１９ａに左係止突起３３と同様な係止突起を設け、この係止突起が係止する係止窪み部を左ドア１３に設けて左係止部３３を構成し、この左係止部３３と同様に右係止部４５を構成しても良い。
【００７６】
第１乃至３実施の形態において、装置本体３をの左及び右ドア１３、１５には、正面ドア１１の上下のドアの意味をも含む。
【００７７】
第１又は第２実施の形態において、正面ドア１１、左及び右ドア１３、１５に加えて、上又は下等のドアを設けた場合、増えたドア数だけ移動部材を別途設ければ、インターロックスイッチを別途設ける必要がない。
【００７８】
第３実施の形態において、例えば、上にドアがある場合は、正面ドアに４つの突起を設け、上のドア用の移動部材を設ける等、正面ドア１１に設ける突起をドア数だけ設け、増えたドア数だけ移動部材を設ければ、インターロックスイッチを別途設ける必要がない。
【００７９】
【発明の効果】
請求項１に記載の発明では、左及び右ドアが閉じているとき、左及び右回動レバーを正面ドアと押圧部材との間に重ねて配置していることにより、正面ドア、左ドア及び右ドアといった開閉方向の異なる３つのドアに対して、単一のインターロックスイッチで対応することができる。従って、インターロックスイッチの設置数を充分に低減でき、部品点数及びコストの低減が図れる。
【００８０】
請求項２に記載の発明では、左及び右ドアが閉じているとき、左及び右切取部を正面ドアの突起と押圧部材との間に重ねて配置していることにより、請求項１に記載の発明と同様な効果を奏する。
【００８１】
請求項３に記載の発明では、左及び右ドアが閉じているとき、左及び右切取部を正面ドアの他の突起に係止する位置に配置していることにより、請求項１に記載の発明と同様な効果を奏する。
【図面の簡単な説明】
【図１】第１実施の形態にかかる画像形成装置を概略的に示す斜視図である。
【図２】第２実施の形態にかかる画像形成装置を概略的に示す斜視図である。
【図３】第３実施の形態にかかる画像形成装置を概略的に示す斜視図である。
【符号の説明】
１      画像形成装置
３      装置本体
１１    正面ドア
１１ａ  中央突起（一の突起）
１１ｂ  左突起（他の突起）
１１ｃ  右突起（他の突起）
１３    左ドア
１５    右ドア
１７    押圧部材
１９    左移動部材
２１    右移動部材
２３    左スプリング（左付勢部材）
２５    左回動レバー
２７    右スプリング（右付勢部材）
２９    右回動レバー
３７    左係止部
３９    左挿通孔（左切取部）
４５    右係止部
４７    右挿通孔（右切取部）
【図１】
0003993965.tif 000002
【図２】
0003993965.tif 000003
【図３】
0003993965.tif 000004